(57)【要約】【課題】本発明はタワー式の追跡型太陽光キャッチャーを開示した。【解決手段】台座とタワー式ベースとを含み、前記タワー式ベースの上端面にはタワー式太陽光吸収機構が取り付けられ、前記タワー式太陽光吸収機構は前記タワー式ベースの上端面に固定的に連結された第一ソーラーパネルを含み、本装置を使用しない時に小さい体積に収縮でき、砂嵐が装置を覆う又は襲撃することを減少し、装置の寿命を伸ばし、装置を使用する時にタワー式構造に広がることができ、より大きい日差し面積を獲得し、より多くの太陽光エネルギーを吸収し、また装置は太陽と共に回転しでき、よりよい日差し角度を獲得し、総合的によい太陽光エネルギーを吸収して野外の環境に対応する。【選択図】図１
2020198770.tif 000002
【特許請求の範囲】
【請求項１】
正面視で、前記タワー式ベースの上端面にはタワー式太陽光吸収機構が取り付けられ、前記タワー式太陽光吸収機構は前記タワー式ベースの上端面に固定的に連結された第一ソーラーパネルを含み、前記第一ソーラーパネルの中には上方に開口した第一収納溝が形成されており、前記第一収納溝の中には第二ソーラーパネルが設置され、前記第二ソーラーパネルの中には前記第二ソーラーパネルの上下端面を貫通している第二収納溝が形成されており、前記第二収納溝の中には第三ソーラーパネルが設置され、前記第二ソーラーパネルが前記第三ソーラーパネルで上下にスライドでき、前記第一ソーラーパネルが前記第二ソーラーパネルと前記第三ソーラーパネルとに砂嵐を遮ることができ、前記第三ソーラーパネルの中にはネジ山ブロックが固定的に設置され、前記ネジ山ブロックの中には昇降軸がネジ山によって噛み合っており、前記ネジ山ブロックと前記昇降軸とがネジ山によって噛み合うことによって前記第三ソーラーパネルと前記第二ソーラーパネルとを連動させて前記第一ソーラーパネルの中から伸ばすことができ、また前記第三ソーラーパネルが上昇した後、前記第二ソーラーパネルが自身の重力によって前記第三ソーラーパネルに対してスライドし、それによって前記第三ソーラーパネルと、前記第二ソーラーパネルと、前記第一ソーラーパネルとが上から下までタワー式収縮の機構を形成して多くの日差しを得、
前記台座の中には上方に開口した回転溝が形成されており、前記回転溝の中には太陽光追跡機構が設置され、前記太陽光追跡機構は前記回転溝の後端壁に固定された円形ギヤブロックを含み、前記タワー式ベースの中には前記円形ギヤブロックと噛み合っている運動ギヤが回転できるように設置され、前記運動ギヤが回転する時に前記タワー式ベースを連動させて前記円形ギヤを回って左右に運動させ、それによって前記タワー式太陽光吸収機構が太陽角度の変化と共に回転してよりよい日差しを得ることができ、
前記タワー式ベースの中には下方に開口した伝動溝が形成されており、前記伝動溝の中には前記タワー式太陽光吸収機構が完全に広げられた後に前記太陽光追跡機構を始動する伝動機構が取り付けられたことを特徴とするタワー式の追跡型太陽光キャッチャー。
【請求項２】
前記タワー式太陽光吸収機構はまた前記ネジ山ブロックの右端面と固定的に連結された横ロッドを含み、前記横ロッドの右端が前記第三ソーラーパネルと固定的に連結され、前記昇降軸と前記タワー式ベースとの間が回転できるように連結され、前記昇降軸の下端が前記伝動溝の中に位置しており、且つ前記昇降軸の下端には底部ベベルギヤが固定的に設置され、前記第二収納溝の右端壁の中には左方に開口した移動溝が形成されており、前記移動溝の中には移動ブロックがスライドできるように設置され、前記移動ブロックの左端面には左端が前記第三ソーラーパネルと固定的に連結された移動ロッドが固定的に設置され、前記第一収納溝の下端壁には鉛直ロッドが固定的に設置され、前記鉛直ロッドの上端が外部空間に位置しており、前記鉛直ロッドの中には円形溝が形成されており、前記円形溝の中には半円ブロックが固定的に設置され、前記円形溝の右端壁には左端が外部空間の中に位置している回転軸が回転できるように設置され、前記回転軸には止めブロックが固定的に設置され、前記止めブロックと前記半円ブロックとが弧状ばねによって固定的に連結され、前記回転軸の左端には短ロッドが固定的に設置されたことを特徴とする請求項１に記載のタワー式の追跡型太陽光キャッチャー。
【請求項３】
前記太陽光追跡機構はまた前記回転溝の後端壁の中に位置している弧状溝を含み、前記弧状溝の前端壁が前記回転溝に連通しており、前記弧状溝の中には前端が前記回転溝の中に位置している弧状ブロックがスライドできるように設置され、前記弧状ブロックの前端が前記タワー式ベースと固定的に連結され、前記円形ギヤブロックの前端面には円柱ブロックが固定的に設置され、前記円柱ブロックには環状ブロックがスライドできるように設置され、前記環状ブロックには斜めロッドが左右対称的に固定的に設置され、前記斜めロッドの上端が前記タワー式ベースの下端面と固定的に連結され、前記伝動溝の右端壁には横向き軸が回転できるように設置され、前記横向き軸には出力ギヤが固定的に設置され、前記横向き軸の左端には出力ベベルギヤが固定的に設置され、前記伝動溝の後端壁には中心軸が回転できるように設置され、前記中心軸には前記運動ギヤと運動ベベルギヤとが固定的に設置され、前記運動ベベルギヤが前記運動ギヤの前側に位置しており、前記運動ベベルギヤが前記出力ベベルギヤと噛み合って伝動することを特徴とする請求項１に記載のタワー式の追跡型太陽光キャッチャー。
【請求項４】
前記太陽光追跡機構の上側には駆動機構が設置され、前記駆動機構は前記伝動溝の右端壁の中に位置している弾性溝を含み、前記弾性溝の左端壁が前記伝動溝に連通しており、前記弾性溝の下端壁には弾性ばねが固定的に設置され、前記弾性ばねの上端には前記弾性溝とスライドできるように連結された弾性ブロックが固定的に設置され、前記弾性ブロックの左端が前記伝動溝の中に位置しており、前記弾性ブロックの上端面には鉄ブロックが固定的に設置され、前記弾性溝の上端壁には電磁石が固定的に取り付けられ、前記弾性ブロックの左端には駆動モーターが固定的に設置され、前記駆動モーターの左端面には駆動軸が動力が伝達できるように連結され、前記駆動軸には駆動ギヤが固定され、前記駆動軸の左端には前記底部ベベルギヤと噛合によって伝動する駆動ベベルギヤが固定され、前記弾性ブロックの上端には伝動ロッドが固定的に設置されたことを特徴とする請求項１に記載のタワー式の追跡型太陽光キャッチャー。
【請求項５】
前記伝動機構は前記伝動溝の後端壁と回転できるように連結された太軸を含み、前記太軸には大ギヤと円形ブロックとが固定的に設置され、前記円形ブロックが前記大ギヤの前側に位置しており、前記円形ブロックの中には下方に開口した鉛直溝が形成されており、前記伝動溝の左端壁の中には右方に開口した弾力溝が形成されており、前記弾力溝の下端壁には弾力ばねが固定的に設置され、前記弾力ばねの上端には前記弾力溝とスライドできるように連結された弾力ブロックが固定的に設置され、前記弾力ブロックの右端が前記伝動溝の中に位置しており、且つ前記弾力ブロックの右端には弾力ラックが固定的に設置され、前記弾力ラックの上端が前記第一収納溝の中に位置しており、前記弾力ラックが前記大ギヤと噛み合って伝動することを特徴とする請求項１に記載のタワー式の追跡型太陽光キャッチャー。
【請求項６】
前記弾力ばねが圧縮状態にあり、前記第三ソーラーパネルが上昇すると、前記弾力ばねが上方へ復帰して前記弾力ラックを上昇連動させることを特徴とする請求項１又は請求項５に記載のタワー式の追跡型太陽光キャッチャー。
【請求項７】
前記半円ブロックが前記止めブロックを阻止するため、前記短ロッドが一方向にしか回転できないことを特徴とする請求項１又は請求項２に記載のタワー式の追跡型太陽光キャッチャー。
【請求項８】
前記弾性ばねが引っ張り状態にあり、前記弾力溝が百八十度回転した時、前記弾性ばねが下方へ復帰して前記伝動ロッドを連動させて前記鉛直溝の中に入らせ、それによって前記駆動ベベルギヤが前記底部ベベルギヤとの噛み合いから離脱し、また前記駆動ギヤが前記出力ギヤと噛み合うことを特徴とする請求項１又は請求項４に記載のタワー式の追跡型太陽光キャッチャー。
【発明の詳細な説明】
【技術分野】
【０００１】
本発明はタワー式の追跡型太陽光キャッチャーに関わり、主に太陽エネルギー設備分野に関わる。
【背景技術】
【０００２】
太陽エネルギーはかなり普遍的で、且つクリーンなエネルギーであり、貯蔵量がいくら取っても取り尽くせないとも言え、今の太陽光の利用設備が広い野外に配置される必要があり、それによってよりよい日差しを得ることができ、しかし砂漠などの地方は砂嵐の襲撃を受けやすくて装置は太陽光を吸収する効率が低くて傷つきやすく、また装置は一般的に平らな板のような構造又は曲面構造であり、太陽光を吸収する面積が小さく、太陽光の使用率が低い。
【先行技術文献】
【特許文献】
【０００３】
【特許文献１】中国特許出願公開第１０６０１６７９０号明細書
【発明の概要】
【発明が解決しようとする課題】
【０００４】
本発明の解決する技術問題はタワー式の追跡型太陽光キャッチャーを提供し、太陽光キャッチャーの太陽光を吸収する面積が小さく、侵食されやすいことを克服する。
【課題を解決するための手段】
【０００５】
本発明は以下の技術プランによって実現される。
【０００６】
本発明のタワー式の追跡型太陽光キャッチャーの機械の内部構成略図をあわせ、本装置は台座とタワー式ベースとを含み、前記タワー式ベースの上端面にはタワー式太陽光吸収機構が取り付けられ、前記タワー式太陽光吸収機構は前記タワー式ベースの上端面に固定的に連結された第一ソーラーパネルを含み、前記第一ソーラーパネルの中には上方に開口した第一収納溝が形成されており、前記第一収納溝の中には第二ソーラーパネルが設置され、前記第二ソーラーパネルの中には前記第二ソーラーパネルの上下端面を貫通している第二収納溝が形成されており、前記第二収納溝の中には第三ソーラーパネルが設置され、前記第二ソーラーパネルが前記第三ソーラーパネルで上下にスライドでき、前記第一ソーラーパネルが前記第二ソーラーパネルと前記第三ソーラーパネルとに砂嵐を遮ることができ、前記第三ソーラーパネルの中にはネジ山ブロックが固定的に設置され、前記ネジ山ブロックの中には昇降軸がネジ山によって噛み合っており、前記ネジ山ブロックと前記昇降軸とがネジ山によって噛み合うことによって前記第三ソーラーパネルと前記第二ソーラーパネルとを連動させて前記第一ソーラーパネルの中から伸ばすことができ、また前記第三ソーラーパネルが上昇した後、前記第二ソーラーパネルが自身の重力によって前記第三ソーラーパネルに対してスライドし、それによって前記第三ソーラーパネルと、前記第二ソーラーパネルと、前記第一ソーラーパネルとが上から下までタワー式収縮の機構を形成して多くの日差しを得る。
【０００７】
前記台座の中には上方に開口した回転溝が形成されており、前記回転溝の中には太陽光追跡機構が設置され、前記太陽光追跡機構は前記回転溝の後端壁に固定された円形ギヤブロックを含み、前記タワー式ベースの中には前記円形ギヤブロックと噛み合っている運動ギヤが回転できるように設置され、前記運動ギヤが回転する時に前記タワー式ベースを連動させて前記円形ギヤを回って左右に運動させ、それによって前記タワー式太陽光吸収機構が太陽角度の変化と共に回転してよりよい日差しを得ることができる。
【０００８】
前記タワー式ベースの中には下方に開口した伝動溝が形成されており、前記伝動溝の中には前記タワー式太陽光吸収機構が完全に広げられた後に前記太陽光追跡機構を始動する伝動機構が取り付けられた。
【０００９】
好ましくは、前記タワー式太陽光吸収機構はまた前記ネジ山ブロックの右端面と固定的に連結された横ロッドを含み、前記横ロッドの右端が前記第三ソーラーパネルと固定的に連結され、前記昇降軸と前記タワー式ベースとの間が回転できるように連結され、前記昇降軸の下端が前記伝動溝の中に位置しており、且つ前記昇降軸の下端には底部ベベルギヤが固定的に設置され、前記第二収納溝の右端壁の中には左方に開口した移動溝が形成されており、前記移動溝の中には移動ブロックがスライドできるように設置され、前記移動ブロックの左端面には左端が前記第三ソーラーパネルと固定的に連結された移動ロッドが固定的に設置され、前記第一収納溝の下端壁には鉛直ロッドが固定的に設置され、前記鉛直ロッドの上端が外部空間に位置しており、前記鉛直ロッドの中には円形溝が形成されており、前記円形溝の中には半円ブロックが固定的に設置され、前記円形溝の右端壁には左端が外部空間の中に位置している回転軸が回転できるように設置され、前記回転軸には止めブロックが固定的に設置され、前記止めブロックと前記半円ブロックとが弧状ばねによって固定的に連結され、前記回転軸の左端には短ロッドが固定的に設置された。
【００１０】
好ましくは、前記太陽光追跡機構はまた前記回転溝の後端壁の中に位置している弧状溝を含み、前記弧状溝の前端壁が前記回転溝に連通しており、前記弧状溝の中には前端が前記回転溝の中に位置している弧状ブロックがスライドできるように設置され、前記弧状ブロックの前端が前記タワー式ベースと固定的に連結され、前記円形ギヤブロックの前端面には円柱ブロックが固定的に設置され、前記円柱ブロックには環状ブロックがスライドできるように設置され、前記環状ブロックには斜めロッドが左右対称的に固定的に設置され、前記斜めロッドの上端が前記タワー式ベースの下端面と固定的に連結され、前記伝動溝の右端壁には横向き軸が回転できるように設置され、前記横向き軸には出力ギヤが固定的に設置され、前記横向き軸の左端には出力ベベルギヤが固定的に設置され、前記伝動溝の後端壁には中心軸が回転できるように設置され、前記中心軸には前記運動ギヤと運動ベベルギヤとが固定的に設置され、前記運動ベベルギヤが前記運動ギヤの前側に位置しており、前記運動ベベルギヤが前記出力ベベルギヤと噛み合って伝動する。
【００１１】
好ましくは、前記太陽光追跡機構の上側には駆動機構が設置され、前記駆動機構は前記伝動溝の右端壁の中に位置している弾性溝を含み、前記弾性溝の左端壁が前記伝動溝に連通しており、前記弾性溝の下端壁には弾性ばねが固定的に設置され、前記弾性ばねの上端には前記弾性溝とスライドできるように連結された弾性ブロックが固定的に設置され、前記弾性ブロックの左端が前記伝動溝の中に位置しており、前記弾性ブロックの上端面には鉄ブロックが固定的に設置され、前記弾性溝の上端壁には電磁石が固定的に取り付けられ、前記弾性ブロックの左端には駆動モーターが固定的に設置され、前記駆動モーターの左端面には駆動軸が動力が伝達できるように連結され、前記駆動軸には駆動ギヤが固定され、前記駆動軸の左端には前記底部ベベルギヤと噛合によって伝動する駆動ベベルギヤが固定され、前記弾性ブロックの上端には伝動ロッドが固定的に設置された。
【００１２】
好ましくは、前記伝動機構は前記伝動溝の後端壁と回転できるように連結された太軸を含み、前記太軸には大ギヤと円形ブロックとが固定的に設置され、前記円形ブロックが前記大ギヤの前側に位置しており、前記円形ブロックの中には下方に開口した鉛直溝が形成されており、前記伝動溝の左端壁の中には右方に開口した弾力溝が形成されており、前記弾力溝の下端壁には弾力ばねが固定的に設置され、前記弾力ばねの上端には前記弾力溝とスライドできるように連結された弾力ブロックが固定的に設置され、前記弾力ブロックの右端が前記伝動溝の中に位置しており、且つ前記弾力ブロックの右端には弾力ラックが固定的に設置され、前記弾力ラックの上端が前記第一収納溝の中に位置しており、前記弾力ラックが前記大ギヤと噛み合って伝動する。
【００１３】
好ましくは、前記弾力ばねが圧縮状態にあり、前記第三ソーラーパネルが上昇すると、前記弾力ばねが上方へ復帰して前記弾力ラックを上昇連動させる。
【００１４】
好ましくは、前記半円ブロックが前記止めブロックを阻止するため、前記短ロッドが一方向にしか回転できない。
【００１５】
好ましくは、前記弾性ばねが引っ張り状態にあり、前記弾力溝が百八十度回転した時、前記弾性ばねが下方へ復帰して前記伝動ロッドを連動させて前記鉛直溝の中に入らせ、それによって前記駆動ベベルギヤが前記底部ベベルギヤとの噛み合いから離脱し、また前記駆動ギヤが前記出力ギヤと噛み合う。
【発明の効果】
【００１６】
本発明の有益な効果は：装置を使用しない時に小さい体積に収縮でき、砂嵐が装置を覆う又は襲撃することを減少し、装置の寿命を伸ばし、装置を使用する時にタワー式構造に広がることができ、より大きい日差し面積を獲得し、より多くの太陽光エネルギーを吸収し、また装置は太陽と共に回転しでき、よりよい日差し角度を獲得し、総合的によい太陽光エネルギーを吸収して野外の環境に対応する。
【図面の簡単な説明】
【００１７】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明のタワー式の追跡型太陽光キャッチャー全体の全断面の正面構造略図
【図２】図２は図１の中のＡ―Ａ方向の略図
【図３】図３は図１の中のＣのところの拡大略図
【図４】図４は図１の中のＢ―Ｂ方向の略図
【発明を実施するための形態】
【００１９】
付図１〜４に説明したタワー式の追跡型太陽光キャッチャーの機械の内部構成略図をあわせ、本装置は台座１０とタワー式ベース６９とを含み、前記タワー式ベース６９の上端面にはタワー式太陽光吸収機構８２が取り付けられ、前記タワー式太陽光吸収機構８２は前記タワー式ベース６９の上端面に固定的に連結された第一ソーラーパネル２３を含み、前記第一ソーラーパネル２３の中には上方に開口した第一収納溝２５が形成されており、前記第一収納溝２５の中には第二ソーラーパネル２４が設置され、前記第二ソーラーパネル２４の中には前記第二ソーラーパネル２４の上下端面を貫通している第二収納溝２６が形成されており、前記第二収納溝２６の中には第三ソーラーパネル３５が設置され、前記第二ソーラーパネル２４が前記第三ソーラーパネル３５で上下にスライドでき、前記第一ソーラーパネル２３が前記第二ソーラーパネル２４と前記第三ソーラーパネル３５とに砂嵐を遮ることができ、前記第三ソーラーパネル３５の中にはネジ山ブロック３２が固定的に設置され、前記ネジ山ブロック３２の中には昇降軸３１がネジ山によって噛み合っており、前記ネジ山ブロック３２と前記昇降軸３１とがネジ山によって噛み合うことによって前記第三ソーラーパネル３５と前記第二ソーラーパネル２４とを連動させて前記第一ソーラーパネル２３の中から伸ばすことができ、また前記第三ソーラーパネル３５が上昇した後、前記第二ソーラーパネル２４が自身の重力によって前記第三ソーラーパネル３５に対してスライドし、それによって前記第三ソーラーパネル３５と、前記第二ソーラーパネル２４と、前記第一ソーラーパネル２３とが上から下までタワー式収縮の機構を形成して多くの日差しを得る。
【００２０】
前記台座１０の中には上方に開口した回転溝４９が形成されており、前記回転溝４９の中には太陽光追跡機構８０が設置され、前記太陽光追跡機構８０は前記回転溝４９の後端壁に固定された円形ギヤブロック４５を含み、前記タワー式ベース６９の中には前記円形ギヤブロック４５と噛み合っている運動ギヤ４８が回転できるように設置され、前記運動ギヤ４８が回転する時に前記タワー式ベース６９を連動させて前記円形ギヤ４５を回って左右に運動させ、それによって前記タワー式太陽光吸収機構８２が太陽角度の変化と共に回転してよりよい日差しを得ることができる。
【００２１】
前記タワー式ベース６９の中には下方に開口した伝動溝４０が形成されており、前記伝動溝４０の中には前記タワー式太陽光吸収機構８２が完全に広げられた後に前記太陽光追跡機構８０を始動する伝動機構８１が取り付けられた。
【００２２】
更に、前記タワー式太陽光吸収機構８２について詳しい説明し、前記タワー式太陽光吸収機構８２はまた前記ネジ山ブロック３２の右端面と固定的に連結された横ロッド３４を含み、前記横ロッド３４の右端が前記第三ソーラーパネル３５と固定的に連結され、前記昇降軸３１と前記タワー式ベース６９との間が回転できるように連結され、前記昇降軸３１の下端が前記伝動溝４０の中に位置しており、且つ前記昇降軸３１の下端には底部ベベルギヤ２７が固定的に設置され、前記第二収納溝２６の右端壁の中には左方に開口した移動溝３６が形成されており、前記移動溝３６の中には移動ブロック３８がスライドできるように設置され、前記移動ブロック３８の左端面には左端が前記第三ソーラーパネル３５と固定的に連結された移動ロッド３７が固定的に設置され、前記第一収納溝２５の下端壁には鉛直ロッド２８が固定的に設置され、前記鉛直ロッド２８の上端が外部空間に位置しており、前記鉛直ロッド２８の中には円形溝５２が形成されており、前記円形溝５２の中には半円ブロック５３が固定的に設置され、前記円形溝５２の右端壁には左端が外部空間の中に位置している回転軸２９が回転できるように設置され、前記回転軸２９には止めブロック５０が固定的に設置され、前記止めブロック５０と前記半円ブロック５３とが弧状ばね５１によって固定的に連結され、前記回転軸２９の左端には短ロッド３０が固定的に設置された。
【００２３】
更に、前記太陽光追跡機構８０について詳しい説明し、前記太陽光追跡機構８０はまた前記回転溝４９の後端壁の中に位置している弧状溝１１を含み、前記弧状溝１１の前端壁が前記回転溝４９に連通しており、前記弧状溝１１の中には前端が前記回転溝４９の中に位置している弧状ブロック１５がスライドできるように設置され、前記弧状ブロック１５の前端が前記タワー式ベース６９と固定的に連結され、前記円形ギヤブロック４５の前端面には円柱ブロック４７が固定的に設置され、前記円柱ブロック４７には環状ブロック４６がスライドできるように設置され、前記環状ブロック４６には斜めロッド４４が左右対称的に固定的に設置され、前記斜めロッド４４の上端が前記タワー式ベース６９の下端面と固定的に連結され、前記伝動溝４０の右端壁には横向き軸４１が回転できるように設置され、前記横向き軸４１には出力ギヤ４２が固定的に設置され、前記横向き軸４１の左端には出力ベベルギヤ４３が固定的に設置され、前記伝動溝４０の後端壁には中心軸１３が回転できるように設置され、前記中心軸１３には前記運動ギヤ４８と運動ベベルギヤ１２とが固定的に設置され、前記運動ベベルギヤ１２が前記運動ギヤ４８の前側に位置しており、前記運動ベベルギヤ１２が前記出力ベベルギヤ４３と噛み合って伝動する。
【００２４】
有益なように、前記太陽光追跡機構８０の上側には駆動機構８３が設置され、前記駆動機構８３は前記伝動溝４０の右端壁の中に位置している弾性溝６１を含み、前記弾性溝６１の左端壁が前記伝動溝４０に連通しており、前記弾性溝６１の下端壁には弾性ばね３９が固定的に設置され、前記弾性ばね３９の上端には前記弾性溝６１とスライドできるように連結された弾性ブロック６３が固定的に設置され、前記弾性ブロック６３の左端が前記伝動溝４０の中に位置しており、前記弾性ブロック６３の上端面には鉄ブロック６５が固定的に設置され、前記弾性溝６１の上端壁には電磁石６４が固定的に取り付けられ、前記弾性ブロック６３の左端には駆動モーター６０が固定的に設置され、前記駆動モーター６０の左端面には駆動軸５９が動力が伝達できるように連結され、前記駆動軸５９には駆動ギヤ５８が固定され、前記駆動軸５９の左端には前記底部ベベルギヤ２７と噛合によって伝動する駆動ベベルギヤ５７が固定され、前記弾性ブロック６３の上端には伝動ロッド５５が固定的に設置された。
【００２５】
有益なように、前記伝動機構８１は前記伝動溝４０の後端壁と回転できるように連結された太軸１９を含み、前記太軸１９には大ギヤ２１と円形ブロック１８とが固定的に設置され、前記円形ブロック１８が前記大ギヤ２１の前側に位置しており、前記円形ブロック１８の中には下方に開口した鉛直溝１４が形成されており、前記伝動溝４０の左端壁の中には右方に開口した弾力溝１７が形成されており、前記弾力溝１７の下端壁には弾力ばね１６が固定的に設置され、前記弾力ばね１６の上端には前記弾力溝１７とスライドできるように連結された弾力ブロック２０が固定的に設置され、前記弾力ブロック２０の右端が前記伝動溝４０の中に位置しており、且つ前記弾力ブロック２０の右端には弾力ラック２２が固定的に設置され、前記弾力ラック２２の上端が前記第一収納溝２５の中に位置しており、前記弾力ラック２２が前記大ギヤ２１と噛み合って伝動する。
【００２６】
有益なように、前記弾力ばね１６が圧縮状態にあり、前記第三ソーラーパネル３５が上昇すると、前記弾力ばね１６が上方へ復帰して前記弾力ラック２２を上昇連動させる。
【００２７】
有益なように、前記半円ブロック５３が前記止めブロック５０を阻止するため、前記短ロッド３０が一方向にしか回転できない。
【００２８】
有益なように、前記弾性ばね３９が引っ張り状態にあり、前記弾力溝１７が百八十度回転した時、前記弾性ばね３９が下方へ復帰して前記伝動ロッド５５を連動させて前記鉛直溝１４の中に入らせ、それによって前記駆動ベベルギヤ５７が前記底部ベベルギヤ２７との噛み合いから離脱し、また前記駆動ギヤ５８が前記出力ギヤ４２と噛み合う。
【００２９】
装置全体の機械的動作の順序は：
【００３０】
（１）夜に装置を使用しない時、装置は収縮状態にあり、第一ソーラーパネル２３が第二ソーラーパネル２４と第三ソーラーパネル３５とに砂嵐を遮ることができ、装置全体の露出した面積が少ないため、砂嵐が装置を覆う又は襲撃することを減少し、装置の寿命を伸ばす。
【００３１】
（２）太陽光を捕捉して吸収し始める時、駆動モーター６０を始動し、駆動軸５９を回転連動させ、駆動ギヤ５８と駆動ベベルギヤ５７とが駆動軸５９と共に回転し、駆動ベベルギヤ５７と底部ベベルギヤ２７とが噛み合って伝動することによって、底部ベベルギヤ２７を回転連動させ、それによって昇降軸３１を回転連動させ、昇降軸３１がネジ山ブロック３２とネジ山によって連結されることによって、ネジ山ブロック３２を上昇連動させることができ、ネジ山ブロック３２が横ロッド３４を回転連動させ、それによって第三ソーラーパネル３５を回転連動させ、横ロッド３４が鉛直ロッド２８に阻止されるまで運動した時、昇降軸３１が第三ソーラーパネル３５を上昇連動させ、移動ブロック３８が第三ソーラーパネル３５と共に上昇し、また移動溝３６の中でスライドし、それによって第三ソーラーパネル３５と移動ブロック３８が広げられる。
【００３２】
（３）移動ブロック３８が移動溝３６の上側に運動すると、第三ソーラーパネル３５が第二ソーラーパネル２４を連動させて一緒に上昇させ、横ロッド３４が鉛直ロッド２８から離脱した時、横ロッド３４が回転して短ロッド３０を回転連動させ、この時に第二ソーラーパネル２４も第一ソーラーパネル２３の上側に運動し、それによって第一ソーラーパネル２３と、第二ソーラーパネル２４と、第三ソーラーパネル３５とが完全に広げられて太陽光を吸収する。
【００３３】
（４）第三ソーラーパネル３５が上昇した後、弾力ばね１６が復帰し、弾力ラック２２を上方へ運動連動させ、弾力ラック２２と大ギヤ２１とが噛み合って伝動することによって、大ギヤ２１を回転連動させ、それによって太軸１９を回転連動させ、円形ブロック１８が太軸１９と共に回転し、鉛直溝１４を百八十度回転連動させる。
【００３４】
（５）弾性ばね３９が復帰し、伝動ロッド５５を連動させて鉛直溝１４の中に入らせ、駆動ベベルギヤ５７と駆動ギヤ５８とが伝動ロッド５５と共に下降し、それによって駆動ベベルギヤ５７が底部ベベルギヤ２７との噛み合いから離脱し、底部ベベルギヤ２７が回転できなくなり、駆動ギヤ５８が出力ギヤ４２と噛み合うまで下降し、出力ギヤ４２を回転連動させ、それによって横向き軸４１を回転連動させ、出力ベベルギヤ４３が横向き軸４１と共に回転する。
【００３５】
（６）出力ベベルギヤ４３と運動ベベルギヤ１２とが噛み合って伝動することによって、運動ベベルギヤ１２を回転連動させ、それによって中心軸１３を回転連動させ、運動ギヤ４８が中心軸１３と共に回転し、運動ギヤ４８と円形ギヤブロック４５との噛み合いによって、第一ソーラーパネル２３と、第二ソーラーパネル２４と、第三ソーラーパネル３５とが太陽の東から昇り西に落ちること共に左右に回転し、それによって一番よい日差しを得る。
【００３６】
（７）完成した後、電磁石６４を通電させ、鉄ブロック６５を吸引して上昇させて吸着させ、それによって駆動ベベルギヤ５７が底部ベベルギヤ２７と噛み合い、駆動モーター６０を始動して装置を復帰させる。
【００３７】
上記は、ただ発明を説明するための技術構想及び特質であり、その目的は本分野を知っている技術員が本発明の内容を理解して実施し、これで発明の保護範囲を限定するものではない。本願の精神実質に基づいての均等な変化又は修飾はいずれも本出願の保護範囲中にカバーすべきである。
【図１】
2020198770.tif 000003
【図２】
2020198770.tif 000004
【図３】
2020198770.tif 000005
【図４】
2020198770.tif 000006
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、台座とタワー式ベースとを含み、前記タワー式ベースの上端面にはタワー式太陽光吸収機構が取り付けられ、前記タワー式太陽光吸収機構は前記タワー式ベースの上端面に固定的に連結された第一ソーラーパネルを含み、前記第一ソーラーパネルの中には上方に開口した第一収納溝が形成されており、前記第一収納溝の中には第二ソーラーパネルが設置され、前記第二ソーラーパネルの中には前記第二ソーラーパネルの上下端面を貫通している第二収納溝が形成されており、前記第二収納溝の中には第三ソーラーパネルが設置され、前記第二ソーラーパネルが前記第三ソーラーパネルで上下にスライドでき、前記第一ソーラーパネルが前記第二ソーラーパネルと前記第三ソーラーパネルとに砂嵐を遮ることができ、前記第三ソーラーパネルの中にはネジ山ブロックが固定的に設置され、前記ネジ山ブロックの中には昇降軸がネジ山によって噛み合っており、前記ネジ山ブロックと前記昇降軸とがネジ山によって噛み合うことによって前記第三ソーラーパネルと前記第二ソーラーパネルとを連動させて前記第一ソーラーパネルの中から伸ばすことができ、また前記第三ソーラーパネルが上昇した後、前記第二ソーラーパネルが自身の重力によって前記第三ソーラーパネルに対してスライドし、それによって前記第三ソーラーパネルと、前記第二ソーラーパネルと、前記第一ソーラーパネルとが上から下までタワー式収縮の機構を形成して多くの日差しを得、
前記台座の中には上方に開口した回転溝が形成されており、前記回転溝の中には太陽光追跡機構が設置され、前記太陽光追跡機構は前記回転溝の後端壁に固定された円形ギヤブロックを含み、前記タワー式ベースの中には前記円形ギヤブロックと噛み合っている運動ギヤが回転できるように設置され、前記運動ギヤが回転する時に前記タワー式ベースを連動させて前記円形ギヤブロックを回って左右に運動させ、それによって前記タワー式太陽光吸収機構が太陽角度の変化と共に回転してよりよい日差しを得ることができ、
前記タワー式ベースの中には下方に開口した伝動溝が形成されており、前記伝動溝の中には前記タワー式太陽光吸収機構が完全に広げられた後に前記太陽光追跡機構を始動する伝動機構が取り付けられたことを特徴とするタワー式の追跡型太陽光キャッチャー。
【請求項２】
前記タワー式太陽光吸収機構はまた前記ネジ山ブロックの右端面と固定的に連結された横ロッドを含み、前記横ロッドの右端が前記第三ソーラーパネルと固定的に連結され、前記昇降軸と前記タワー式ベースとの間が回転できるように連結され、前記昇降軸の下端が前記伝動溝の中に位置しており、且つ前記昇降軸の下端には底部ベベルギヤが固定的に設置され、前記第二収納溝の右端壁の中には左方に開口した移動溝が形成されており、前記移動溝の中には移動ブロックがスライドできるように設置され、前記移動ブロックの左端面には左端が前記第三ソーラーパネルと固定的に連結された移動ロッドが固定的に設置され、前記第一収納溝の下端壁には鉛直ロッドが固定的に設置され、前記鉛直ロッドの上端が外部空間に位置しており、前記鉛直ロッドの中には円形溝が形成されており、前記円形溝の中には半円ブロックが固定的に設置され、前記円形溝の右端壁には左端が外部空間の中に位置している回転軸が回転できるように設置され、前記回転軸には止めブロックが固定的に設置され、前記止めブロックと前記半円ブロックとが弧状ばねによって固定的に連結され、前記回転軸の左端には短ロッドが固定的に設置されたことを特徴とする請求項１に記載のタワー式の追跡型太陽光キャッチャー。
【請求項３】
前記太陽光追跡機構はまた前記回転溝の後端壁の中に位置している弧状溝を含み、前記弧状溝の前端壁が前記回転溝に連通しており、前記弧状溝の中には前端が前記回転溝の中に位置している弧状ブロックがスライドできるように設置され、前記弧状ブロックの前端が前記タワー式ベースと固定的に連結され、前記円形ギヤブロックの前端面には円柱ブロックが固定的に設置され、前記円柱ブロックには環状ブロックがスライドできるように設置され、前記環状ブロックには斜めロッドが左右対称的に固定的に設置され、前記斜めロッドの上端が前記タワー式ベースの下端面と固定的に連結され、前記伝動溝の右端壁には横向き軸が回転できるように設置され、前記横向き軸には出力ギヤが固定的に設置され、前記横向き軸の左端には出力ベベルギヤが固定的に設置され、前記伝動溝の後端壁には中心軸が回転できるように設置され、前記中心軸には前記運動ギヤと運動ベベルギヤとが固定的に設置され、前記運動ベベルギヤが前記運動ギヤの前側に位置しており、前記運動ベベルギヤが前記出力ベベルギヤと噛み合って伝動することを特徴とする請求項２に記載のタワー式の追跡型太陽光キャッチャー。
【請求項４】
前記太陽光追跡機構の上側には駆動機構が設置され、前記駆動機構は前記伝動溝の右端壁の中に位置している弾性溝を含み、前記弾性溝の左端壁が前記伝動溝に連通しており、前記弾性溝の下端壁には弾性ばねが固定的に設置され、前記弾性ばねの上端には前記弾性溝とスライドできるように連結された弾性ブロックが固定的に設置され、前記弾性ブロックの左端が前記伝動溝の中に位置しており、前記弾性ブロックの上端面には鉄ブロックが固定的に設置され、前記弾性溝の上端壁には電磁石が固定的に取り付けられ、前記弾性ブロックの左端には駆動モーターが固定的に設置され、前記駆動モーターの左端面には駆動軸が動力が伝達できるように連結され、前記駆動軸には駆動ギヤが固定され、前記駆動軸の左端には前記底部ベベルギヤと噛合によって伝動する駆動ベベルギヤが固定され、前記弾性ブロックの上端には伝動ロッドが固定的に設置されたことを特徴とする請求項３に記載のタワー式の追跡型太陽光キャッチャー。
【請求項５】
前記伝動機構は前記伝動溝の後端壁と回転できるように連結された太軸を含み、前記太軸には大ギヤと円形ブロックとが固定的に設置され、前記円形ブロックが前記大ギヤの前側に位置しており、前記円形ブロックの中には下方に開口した鉛直溝が形成されており、前記伝動溝の左端壁の中には右方に開口した弾力溝が形成されており、前記弾力溝の下端壁には弾力ばねが固定的に設置され、前記弾力ばねの上端には前記弾力溝とスライドできるように連結された弾力ブロックが固定的に設置され、前記弾力ブロックの右端が前記伝動溝の中に位置しており、且つ前記弾力ブロックの右端には弾力ラックが固定的に設置され、前記弾力ラックの上端が前記第一収納溝の中に位置しており、前記弾力ラックが前記大ギヤと噛み合って伝動することを特徴とする請求項４に記載のタワー式の追跡型太陽光キャッチャー。
【請求項６】
前記弾力ばねが圧縮状態にあり、前記第三ソーラーパネルが上昇すると、前記弾力ばねが上方へ復帰して前記弾力ラックを上昇連動させることを特徴とする請求項５に記載のタワー式の追跡型太陽光キャッチャー。
【請求項７】
前記半円ブロックが前記止めブロックを阻止するため、前記短ロッドが一方向にしか回転できないことを特徴とする請求項６に記載のタワー式の追跡型太陽光キャッチャー。
【請求項８】
前記弾性ばねが引っ張り状態にあり、前記弾力溝が百八十度回転した時、前記弾性ばねが下方へ復帰して前記伝動ロッドを連動させて前記鉛直溝の中に入らせ、それによって前記駆動ベベルギヤが前記底部ベベルギヤとの噛み合いから離脱し、また前記駆動ギヤが前記出力ギヤと噛み合うことを特徴とする請求項７に記載のタワー式の追跡型太陽光キャッチャー。
【手続補正２】
【補正対象書類名】明細書
【補正対象項目名】全文
【補正方法】変更
【補正の内容】
【発明の詳細な説明】
【技術分野】
【０００１】
本発明はタワー式の追跡型太陽光キャッチャーに関わり、主に太陽エネルギー設備分野に関わる。
【背景技術】
【０００２】
太陽エネルギーはかなり普遍的で、且つクリーンなエネルギーであり、貯蔵量がいくら取っても取り尽くせないとも言え、今の太陽光の利用設備が広い野外に配置される必要があり、それによってよりよい日差しを得ることができ、しかし砂漠などの地方は砂嵐の襲撃を受けやすくて装置は太陽光を吸収する効率が低くて傷つきやすく、また装置は一般的に平らな板のような構造又は曲面構造であり、太陽光を吸収する面積が小さく、太陽光の使用率が低い。
【先行技術文献】
【特許文献】
【０００３】
【特許文献１】中国特許出願公開第１０６０１６７９０号明細書
【発明の概要】
【発明が解決しようとする課題】
【０００４】
本発明の解決する技術問題はタワー式の追跡型太陽光キャッチャーを提供し、太陽光キャッチャーの太陽光を吸収する面積が小さく、侵食されやすいことを克服する。
【課題を解決するための手段】
【０００５】
本発明は以下の技術プランによって実現される。
【０００６】
本発明のタワー式の追跡型太陽光キャッチャーの機械の内部構成略図をあわせ、本装置は台座とタワー式ベースとを含み、前記タワー式ベースの上端面にはタワー式太陽光吸収機構が取り付けられ、前記タワー式太陽光吸収機構は前記タワー式ベースの上端面に固定的に連結された第一ソーラーパネルを含み、前記第一ソーラーパネルの中には上方に開口した第一収納溝が形成されており、前記第一収納溝の中には第二ソーラーパネルが設置され、前記第二ソーラーパネルの中には前記第二ソーラーパネルの上下端面を貫通している第二収納溝が形成されており、前記第二収納溝の中には第三ソーラーパネルが設置され、前記第二ソーラーパネルが前記第三ソーラーパネルで上下にスライドでき、前記第一ソーラーパネルが前記第二ソーラーパネルと前記第三ソーラーパネルとに砂嵐を遮ることができ、前記第三ソーラーパネルの中にはネジ山ブロックが固定的に設置され、前記ネジ山ブロックの中には昇降軸がネジ山によって噛み合っており、前記ネジ山ブロックと前記昇降軸とがネジ山によって噛み合うことによって前記第三ソーラーパネルと前記第二ソーラーパネルとを連動させて前記第一ソーラーパネルの中から伸ばすことができ、また前記第三ソーラーパネルが上昇した後、前記第二ソーラーパネルが自身の重力によって前記第三ソーラーパネルに対してスライドし、それによって前記第三ソーラーパネルと、前記第二ソーラーパネルと、前記第一ソーラーパネルとが上から下までタワー式収縮の機構を形成して多くの日差しを得る。
【０００７】
前記台座の中には上方に開口した回転溝が形成されており、前記回転溝の中には太陽光追跡機構が設置され、前記太陽光追跡機構は前記回転溝の後端壁に固定された円形ギヤブロックを含み、前記タワー式ベースの中には前記円形ギヤブロックと噛み合っている運動ギヤが回転できるように設置され、前記運動ギヤが回転する時に前記タワー式ベースを連動させて前記円形ギヤブロックを回って左右に運動させ、それによって前記タワー式太陽光吸収機構が太陽角度の変化と共に回転してよりよい日差しを得ることができる。
【０００８】
前記タワー式ベースの中には下方に開口した伝動溝が形成されており、前記伝動溝の中には前記タワー式太陽光吸収機構が完全に広げられた後に前記太陽光追跡機構を始動する伝動機構が取り付けられた。
【０００９】
好ましくは、前記タワー式太陽光吸収機構はまた前記ネジ山ブロックの右端面と固定的に連結された横ロッドを含み、前記横ロッドの右端が前記第三ソーラーパネルと固定的に連結され、前記昇降軸と前記タワー式ベースとの間が回転できるように連結され、前記昇降軸の下端が前記伝動溝の中に位置しており、且つ前記昇降軸の下端には底部ベベルギヤが固定的に設置され、前記第二収納溝の右端壁の中には左方に開口した移動溝が形成されており、前記移動溝の中には移動ブロックがスライドできるように設置され、前記移動ブロックの左端面には左端が前記第三ソーラーパネルと固定的に連結された移動ロッドが固定的に設置され、前記第一収納溝の下端壁には鉛直ロッドが固定的に設置され、前記鉛直ロッドの上端が外部空間に位置しており、前記鉛直ロッドの中には円形溝が形成されており、前記円形溝の中には半円ブロックが固定的に設置され、前記円形溝の右端壁には左端が外部空間の中に位置している回転軸が回転できるように設置され、前記回転軸には止めブロックが固定的に設置され、前記止めブロックと前記半円ブロックとが弧状ばねによって固定的に連結され、前記回転軸の左端には短ロッドが固定的に設置された。
【００１０】
好ましくは、前記太陽光追跡機構はまた前記回転溝の後端壁の中に位置している弧状溝を含み、前記弧状溝の前端壁が前記回転溝に連通しており、前記弧状溝の中には前端が前記回転溝の中に位置している弧状ブロックがスライドできるように設置され、前記弧状ブロックの前端が前記タワー式ベースと固定的に連結され、前記円形ギヤブロックの前端面には円柱ブロックが固定的に設置され、前記円柱ブロックには環状ブロックがスライドできるように設置され、前記環状ブロックには斜めロッドが左右対称的に固定的に設置され、前記斜めロッドの上端が前記タワー式ベースの下端面と固定的に連結され、前記伝動溝の右端壁には横向き軸が回転できるように設置され、前記横向き軸には出力ギヤが固定的に設置され、前記横向き軸の左端には出力ベベルギヤが固定的に設置され、前記伝動溝の後端壁には中心軸が回転できるように設置され、前記中心軸には前記運動ギヤと運動ベベルギヤとが固定的に設置され、前記運動ベベルギヤが前記運動ギヤの前側に位置しており、前記運動ベベルギヤが前記出力ベベルギヤと噛み合って伝動する。
【００１１】
好ましくは、前記太陽光追跡機構の上側には駆動機構が設置され、前記駆動機構は前記伝動溝の右端壁の中に位置している弾性溝を含み、前記弾性溝の左端壁が前記伝動溝に連通しており、前記弾性溝の下端壁には弾性ばねが固定的に設置され、前記弾性ばねの上端には前記弾性溝とスライドできるように連結された弾性ブロックが固定的に設置され、前記弾性ブロックの左端が前記伝動溝の中に位置しており、前記弾性ブロックの上端面には鉄ブロックが固定的に設置され、前記弾性溝の上端壁には電磁石が固定的に取り付けられ、前記弾性ブロックの左端には駆動モーターが固定的に設置され、前記駆動モーターの左端面には駆動軸が動力が伝達できるように連結され、前記駆動軸には駆動ギヤが固定され、前記駆動軸の左端には前記底部ベベルギヤと噛合によって伝動する駆動ベベルギヤが固定され、前記弾性ブロックの上端には伝動ロッドが固定的に設置された。
【００１２】
好ましくは、前記伝動機構は前記伝動溝の後端壁と回転できるように連結された太軸を含み、前記太軸には大ギヤと円形ブロックとが固定的に設置され、前記円形ブロックが前記大ギヤの前側に位置しており、前記円形ブロックの中には下方に開口した鉛直溝が形成されており、前記伝動溝の左端壁の中には右方に開口した弾力溝が形成されており、前記弾力溝の下端壁には弾力ばねが固定的に設置され、前記弾力ばねの上端には前記弾力溝とスライドできるように連結された弾力ブロックが固定的に設置され、前記弾力ブロックの右端が前記伝動溝の中に位置しており、且つ前記弾力ブロックの右端には弾力ラックが固定的に設置され、前記弾力ラックの上端が前記第一収納溝の中に位置しており、前記弾力ラックが前記大ギヤと噛み合って伝動する。
【００１３】
好ましくは、前記弾力ばねが圧縮状態にあり、前記第三ソーラーパネルが上昇すると、前記弾力ばねが上方へ復帰して前記弾力ラックを上昇連動させる。
【００１４】
好ましくは、前記半円ブロックが前記止めブロックを阻止するため、前記短ロッドが一方向にしか回転できない。
【００１５】
好ましくは、前記弾性ばねが引っ張り状態にあり、前記弾力溝が百八十度回転した時、前記弾性ばねが下方へ復帰して前記伝動ロッドを連動させて前記鉛直溝の中に入らせ、それによって前記駆動ベベルギヤが前記底部ベベルギヤとの噛み合いから離脱し、また前記駆動ギヤが前記出力ギヤと噛み合う。
【発明の効果】
【００１６】
本発明の有益な効果は：装置を使用しない時に小さい体積に収縮でき、砂嵐が装置を覆う又は襲撃することを減少し、装置の寿命を伸ばし、装置を使用する時にタワー式構造に広がることができ、より大きい日差し面積を獲得し、より多くの太陽光エネルギーを吸収し、また装置は太陽と共に回転しでき、よりよい日差し角度を獲得し、総合的によい太陽光エネルギーを吸収して野外の環境に対応する。
【図面の簡単な説明】
【００１７】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明のタワー式の追跡型太陽光キャッチャー全体の全断面の正面構造略図
【図２】図２は図１の中のＡ―Ａ方向の略図
【図３】図３は図１の中のＣのところの拡大略図
【図４】図４は図１の中のＢ―Ｂ方向の略図
【発明を実施するための形態】
【００１９】
付図１〜４に説明したタワー式の追跡型太陽光キャッチャーの機械の内部構成略図をあわせ、本装置は台座１０とタワー式ベース６９とを含み、前記タワー式ベース６９の上端面にはタワー式太陽光吸収機構８２が取り付けられ、前記タワー式太陽光吸収機構８２は前記タワー式ベース６９の上端面に固定的に連結された第一ソーラーパネル２３を含み、前記第一ソーラーパネル２３の中には上方に開口した第一収納溝２５が形成されており、前記第一収納溝２５の中には第二ソーラーパネル２４が設置され、前記第二ソーラーパネル２４の中には前記第二ソーラーパネル２４の上下端面を貫通している第二収納溝２６が形成されており、前記第二収納溝２６の中には第三ソーラーパネル３５が設置され、前記第二ソーラーパネル２４が前記第三ソーラーパネル３５で上下にスライドでき、前記第一ソーラーパネル２３が前記第二ソーラーパネル２４と前記第三ソーラーパネル３５とに砂嵐を遮ることができ、前記第三ソーラーパネル３５の中にはネジ山ブロック３２が固定的に設置され、前記ネジ山ブロック３２の中には昇降軸３１がネジ山によって噛み合っており、前記ネジ山ブロック３２と前記昇降軸３１とがネジ山によって噛み合うことによって前記第三ソーラーパネル３５と前記第二ソーラーパネル２４とを連動させて前記第一ソーラーパネル２３の中から伸ばすことができ、また前記第三ソーラーパネル３５が上昇した後、前記第二ソーラーパネル２４が自身の重力によって前記第三ソーラーパネル３５に対してスライドし、それによって前記第三ソーラーパネル３５と、前記第二ソーラーパネル２４と、前記第一ソーラーパネル２３とが上から下までタワー式収縮の機構を形成して多くの日差しを得る。
【００２０】
前記台座１０の中には上方に開口した回転溝４９が形成されており、前記回転溝４９の中には太陽光追跡機構８０が設置され、前記太陽光追跡機構８０は前記回転溝４９の後端壁に固定された円形ギヤブロック４５を含み、前記タワー式ベース６９の中には前記円形ギヤブロック４５と噛み合っている運動ギヤ４８が回転できるように設置され、前記運動ギヤ４８が回転する時に前記タワー式ベース６９を連動させて前記円形ギヤブロック４５を回って左右に運動させ、それによって前記タワー式太陽光吸収機構８２が太陽角度の変化と共に回転してよりよい日差しを得ることができる。
【００２１】
前記タワー式ベース６９の中には下方に開口した伝動溝４０が形成されており、前記伝動溝４０の中には前記タワー式太陽光吸収機構８２が完全に広げられた後に前記太陽光追跡機構８０を始動する伝動機構８１が取り付けられた。
【００２２】
更に、前記タワー式太陽光吸収機構８２について詳しい説明し、前記タワー式太陽光吸収機構８２はまた前記ネジ山ブロック３２の右端面と固定的に連結された横ロッド３４を含み、前記横ロッド３４の右端が前記第三ソーラーパネル３５と固定的に連結され、前記昇降軸３１と前記タワー式ベース６９との間が回転できるように連結され、前記昇降軸３１の下端が前記伝動溝４０の中に位置しており、且つ前記昇降軸３１の下端には底部ベベルギヤ２７が固定的に設置され、前記第二収納溝２６の右端壁の中には左方に開口した移動溝３６が形成されており、前記移動溝３６の中には移動ブロック３８がスライドできるように設置され、前記移動ブロック３８の左端面には左端が前記第三ソーラーパネル３５と固定的に連結された移動ロッド３７が固定的に設置され、前記第一収納溝２５の下端壁には鉛直ロッド２８が固定的に設置され、前記鉛直ロッド２８の上端が外部空間に位置しており、前記鉛直ロッド２８の中には円形溝５２が形成されており、前記円形溝５２の中には半円ブロック５３が固定的に設置され、前記円形溝５２の右端壁には左端が外部空間の中に位置している回転軸２９が回転できるように設置され、前記回転軸２９には止めブロック５０が固定的に設置され、前記止めブロック５０と前記半円ブロック５３とが弧状ばね５１によって固定的に連結され、前記回転軸２９の左端には短ロッド３０が固定的に設置された。
【００２３】
更に、前記太陽光追跡機構８０について詳しい説明し、前記太陽光追跡機構８０はまた前記回転溝４９の後端壁の中に位置している弧状溝１１を含み、前記弧状溝１１の前端壁が前記回転溝４９に連通しており、前記弧状溝１１の中には前端が前記回転溝４９の中に位置している弧状ブロック１５がスライドできるように設置され、前記弧状ブロック１５の前端が前記タワー式ベース６９と固定的に連結され、前記円形ギヤブロック４５の前端面には円柱ブロック４７が固定的に設置され、前記円柱ブロック４７には環状ブロック４６がスライドできるように設置され、前記環状ブロック４６には斜めロッド４４が左右対称的に固定的に設置され、前記斜めロッド４４の上端が前記タワー式ベース６９の下端面と固定的に連結され、前記伝動溝４０の右端壁には横向き軸４１が回転できるように設置され、前記横向き軸４１には出力ギヤ４２が固定的に設置され、前記横向き軸４１の左端には出力ベベルギヤ４３が固定的に設置され、前記伝動溝４０の後端壁には中心軸１３が回転できるように設置され、前記中心軸１３には前記運動ギヤ４８と運動ベベルギヤ１２とが固定的に設置され、前記運動ベベルギヤ１２が前記運動ギヤ４８の前側に位置しており、前記運動ベベルギヤ１２が前記出力ベベルギヤ４３と噛み合って伝動する。
【００２４】
有益なように、前記太陽光追跡機構８０の上側には駆動機構８３が設置され、前記駆動機構８３は前記伝動溝４０の右端壁の中に位置している弾性溝６１を含み、前記弾性溝６１の左端壁が前記伝動溝４０に連通しており、前記弾性溝６１の下端壁には弾性ばね３９が固定的に設置され、前記弾性ばね３９の上端には前記弾性溝６１とスライドできるように連結された弾性ブロック６３が固定的に設置され、前記弾性ブロック６３の左端が前記伝動溝４０の中に位置しており、前記弾性ブロック６３の上端面には鉄ブロック６５が固定的に設置され、前記弾性溝６１の上端壁には電磁石６４が固定的に取り付けられ、前記弾性ブロック６３の左端には駆動モーター６０が固定的に設置され、前記駆動モーター６０の左端面には駆動軸５９が動力が伝達できるように連結され、前記駆動軸５９には駆動ギヤ５８が固定され、前記駆動軸５９の左端には前記底部ベベルギヤ２７と噛合によって伝動する駆動ベベルギヤ５７が固定され、前記弾性ブロック６３の上端には伝動ロッド５５が固定的に設置された。
【００２５】
有益なように、前記伝動機構８１は前記伝動溝４０の後端壁と回転できるように連結された太軸１９を含み、前記太軸１９には大ギヤ２１と円形ブロック１８とが固定的に設置され、前記円形ブロック１８が前記大ギヤ２１の前側に位置しており、前記円形ブロック１８の中には下方に開口した鉛直溝１４が形成されており、前記伝動溝４０の左端壁の中には右方に開口した弾力溝１７が形成されており、前記弾力溝１７の下端壁には弾力ばね１６が固定的に設置され、前記弾力ばね１６の上端には前記弾力溝１７とスライドできるように連結された弾力ブロック２０が固定的に設置され、前記弾力ブロック２０の右端が前記伝動溝４０の中に位置しており、且つ前記弾力ブロック２０の右端には弾力ラック２２が固定的に設置され、前記弾力ラック２２の上端が前記第一収納溝２５の中に位置しており、前記弾力ラック２２が前記大ギヤ２１と噛み合って伝動する。
【００２６】
有益なように、前記弾力ばね１６が圧縮状態にあり、前記第三ソーラーパネル３５が上昇すると、前記弾力ばね１６が上方へ復帰して前記弾力ラック２２を上昇連動させる。
【００２７】
有益なように、前記半円ブロック５３が前記止めブロック５０を阻止するため、前記短ロッド３０が一方向にしか回転できない。
【００２８】
有益なように、前記弾性ばね３９が引っ張り状態にあり、前記弾力溝１７が百八十度回転した時、前記弾性ばね３９が下方へ復帰して前記伝動ロッド５５を連動させて前記鉛直溝１４の中に入らせ、それによって前記駆動ベベルギヤ５７が前記底部ベベルギヤ２７との噛み合いから離脱し、また前記駆動ギヤ５８が前記出力ギヤ４２と噛み合う。
【００２９】
装置全体の機械的動作の順序は：
【００３０】
（１）夜に装置を使用しない時、装置は収縮状態にあり、第一ソーラーパネル２３が第二ソーラーパネル２４と第三ソーラーパネル３５とに砂嵐を遮ることができ、装置全体の露出した面積が少ないため、砂嵐が装置を覆う又は襲撃することを減少し、装置の寿命を伸ばす。
【００３１】
（２）太陽光を捕捉して吸収し始める時、駆動モーター６０を始動し、駆動軸５９を回転連動させ、駆動ギヤ５８と駆動ベベルギヤ５７とが駆動軸５９と共に回転し、駆動ベベルギヤ５７と底部ベベルギヤ２７とが噛み合って伝動することによって、底部ベベルギヤ２７を回転連動させ、それによって昇降軸３１を回転連動させ、昇降軸３１がネジ山ブロック３２とネジ山によって連結されることによって、ネジ山ブロック３２を上昇連動させることができ、ネジ山ブロック３２が横ロッド３４を回転連動させ、それによって第三ソーラーパネル３５を回転連動させ、横ロッド３４が鉛直ロッド２８に阻止されるまで運動した時、昇降軸３１が第三ソーラーパネル３５を上昇連動させ、移動ブロック３８が第三ソーラーパネル３５と共に上昇し、また移動溝３６の中でスライドし、それによって第三ソーラーパネル３５と移動ブロック３８が広げられる。
【００３２】
（３）移動ブロック３８が移動溝３６の上側に運動すると、第三ソーラーパネル３５が第二ソーラーパネル２４を連動させて一緒に上昇させ、横ロッド３４が鉛直ロッド２８から離脱した時、横ロッド３４が回転して短ロッド３０を回転連動させ、この時に第二ソーラーパネル２４も第一ソーラーパネル２３の上側に運動し、それによって第一ソーラーパネル２３と、第二ソーラーパネル２４と、第三ソーラーパネル３５とが完全に広げられて太陽光を吸収する。
【００３３】
（４）第三ソーラーパネル３５が上昇した後、弾力ばね１６が復帰し、弾力ラック２２を上方へ運動連動させ、弾力ラック２２と大ギヤ２１とが噛み合って伝動することによって、大ギヤ２１を回転連動させ、それによって太軸１９を回転連動させ、円形ブロック１８が太軸１９と共に回転し、鉛直溝１４を百八十度回転連動させる。
【００３４】
（５）弾性ばね３９が復帰し、伝動ロッド５５を連動させて鉛直溝１４の中に入らせ、駆動ベベルギヤ５７と駆動ギヤ５８とが伝動ロッド５５と共に下降し、それによって駆動ベベルギヤ５７が底部ベベルギヤ２７との噛み合いから離脱し、底部ベベルギヤ２７が回転できなくなり、駆動ギヤ５８が出力ギヤ４２と噛み合うまで下降し、出力ギヤ４２を回転連動させ、それによって横向き軸４１を回転連動させ、出力ベベルギヤ４３が横向き軸４１と共に回転する。
【００３５】
（６）出力ベベルギヤ４３と運動ベベルギヤ１２とが噛み合って伝動することによって、運動ベベルギヤ１２を回転連動させ、それによって中心軸１３を回転連動させ、運動ギヤ４８が中心軸１３と共に回転し、運動ギヤ４８と円形ギヤブロック４５との噛み合いによって、第一ソーラーパネル２３と、第二ソーラーパネル２４と、第三ソーラーパネル３５とが太陽の東から昇り西に落ちること共に左右に回転し、それによって一番よい日差しを得る。
【００３６】
（７）完成した後、電磁石６４を通電させ、鉄ブロック６５を吸引して上昇させて吸着させ、それによって駆動ベベルギヤ５７が底部ベベルギヤ２７と噛み合い、駆動モーター６０を始動して装置を復帰させる。
【００３７】
上記は、ただ発明を説明するための技術構想及び特質であり、その目的は本分野を知っている技術員が本発明の内容を理解して実施し、これで発明の保護範囲を限定するものではない。本願の精神実質に基づいての均等な変化又は修飾はいずれも本出願の保護範囲中にカバーすべきである。